(57)【特許請求の範囲】
【請求項１】
鍵盤部と該鍵盤部の上面を覆露する蓋体と該鍵盤部を収容する鍵盤収容部を有する鍵盤楽器の蓋開閉装置であって、
前記鍵盤収容部の内部において、前記鍵盤部よりも奥側に位置して前記鍵盤収容部に固定部が固定され、
複数の引張力発生弾性要素と、
該複数の引張力発生弾性要素を前記固定部に取り付けるための１又は複数の弾性要素取付部材を有し、
前記各引張力発生弾性要素は、当該一端が前記蓋体の後端部に、当該他端が前記弾性要素取付部材に配設され、前記蓋体を手前側に閉じ終わる際、及び／又は、前記蓋体を奥側に開き終わる際に、前記蓋体の上下動による位置エネルギの放出に見合った弾性エネルギを蓄積することにより、前記蓋体を手前側に閉じ終わる際、及び／又は、前記蓋体を奥側に開き終わる際のダンパーとして機能するものであり、
前記各引張力発生弾性要素の一端と他端とは、前記蓋体の移動方向に対し斜め又は直交方向に配設され、かつ、
前記複数の引張力発生弾性要素は、前記蓋体の移動方向に直交する当該付勢力の成分がほぼ相殺するように、並列に配設されている、
ことを特徴とする鍵盤楽器の蓋開閉装置。
【請求項２】
前記複数の引張力発生弾性要素は、前記蓋体の移動方向に対し線対称に配設されている、
ことを特徴とする請求項１に記載の鍵盤楽器の蓋開閉装置。
【請求項３】
前記複数の引張力発生弾性要素は、分離独立した複数本の引張力発生弾性要素であり、
前記１又は複数の弾性要素取付部材のうち、少なくとも１つは、前記分離独立した複数本の引張力発生弾性要素の内、少なくとも２本の他端部が取り付けられている、
ことを特徴とする請求項１又は２に記載の鍵盤楽器の蓋開閉装置。
【請求項４】
前記固定部に係止部が形成され、
前記弾性要素取付部材は、被係止部を有し、
該被係止部が前記固定部に形成された係止部に係止されることにより前記弾性要素取付部材が前記固定部に仮止めされる、
ことを特徴とする請求項１から請求項３までのいずれか１項に記載の鍵盤楽器の蓋開閉装置。
【発明の詳細な説明】
【技術分野】
【０００１】
本発明は、鍵盤楽器の鍵盤を覆露する鍵盤楽器の蓋開閉装置に関するものである。
特に、電子鍵盤楽器に適したものであるが、ピアノ、オルガン等のアコースティック鍵盤楽器にも適用できる。
【背景技術】
【０００２】
電子鍵盤楽器において、鍵盤を覆露する蓋を備えたものが知られている。
例えば、特許文献１に記載の電子鍵盤楽器においては、回動式の蓋（前カバー）を備え、この蓋の下壁は後方まで延設され、その後端部の両端部において、回動支点部（嵌合孔）を有した取付板が固定されている。一方、この蓋の鍵並び方向両端部における後部に延設して係止部を設け、引張コイルバネ（弾性部材）を、この係止部と棚板上のピンとに係止することにより、緩衝（ダンパー）機構を構成している。この係止部は回動支点部の反対側にある。
この引張コイルバネは、蓋で鍵盤を完全に閉じる直前の状態と、蓋を楽器後方に倒して全開する直前の状態とにおいて、蓋の移動を妨げる方向に働く付勢力を与える。その結果、蓋が急激に楽器前方又は楽器後方に倒れ込んで、指を挟む危険が回避される。この引張コイルバネの付勢力は、全閉状態の蓋を開く時に、開く方向に加わるので軽い力で開けやすく、また、この付勢力は、全開状態の蓋を閉じるときに、閉じる方向に加わるので軽い力で閉じやすい。
【０００３】
また、上述した電子鍵盤楽器においては、ダンパー機能がある回動装置が側板に取り付けられている。上述した回動支点部としての嵌合孔に、長方形の軸を嵌合する。この軸が回動支持部内で回動する時に、内部部材の接触抵抗によって軸の回動に抵抗が与えられ、回動動作が緩慢化される。このようなダンパー機能を有する回動装置は、特許文献２により知られており、一方向にのみトルクが加わるワンウェイクラッチ機構、オイルダンパー、トルク軸ブッシュ等がある。このような回動装置によって、蓋はゆっくりと閉まる。
因みに、このような回動装置のみであれば、蓋を開けるときに蓋が重くなるので、上述した引張コイルバネを併用している。
【０００４】
上述した引張コイルバネは、上述した電子鍵盤楽器の蓋（前カバー）を支えるために、バネ定数が大きいか、あるいは、初張力の高いものを使用する。しかし、このような引張コイルバネを引き延ばした状態でピンに取り付けることは、手作業では難しい。
そのため、蓋の開閉の全移動行程において、引張コイルバネの伸びが最小となる中間位置(特許文献１の図３の前カバーの実線位置)の状態において、引張コイルバネの端部をピンに引っ掛ける必要がある。しかし、この中間位置においては、前カバーが手前側に大きく傾いている。その結果、端部をピンに掛け損ねると、前カバーに手を挟まれる危険がある。そのため、前カバーを手で支えながら引っ掛け作業をする必要があるため、作業がやりにくい。
【特許文献１】特開２００４−３０２４１９号公報
【特許文献２】特開平１１−１７５０５３号公報
【発明の開示】
【発明が解決しようとする課題】
【０００５】
本発明は、上述した問題点を解決するためになされたもので、鍵盤部を覆露する蓋が急激に倒れ込むことを防ぐダンパー用の引張力発生弾性要素を、製造時に安全かつ容易に取り付けることができる鍵盤楽器の蓋開閉装置を提供することを目的とするものである。
【課題を解決するための手段】
【０００７】
請求項１に記載の発明においては、鍵盤部と該鍵盤部の上面を覆露する蓋体と該鍵盤部を収容する鍵盤収容部を有する鍵盤楽器の蓋開閉装置であって、前記鍵盤収容部の内部において、前記鍵盤部よりも奥側に位置して前記鍵盤収容部に固定部が固定され、複数の引張力発生弾性要素と、該複数の引張力発生弾性要素を前記固定部に取り付けるための１又は複数の弾性要素取付部材を有し、前記各引張力発生弾性要素は、当該一端が前記蓋体の後端部に、当該他端が前記弾性要素取付部材に配設され、前記蓋体を手前側に閉じ終わる際、及び／又は、前記蓋体を奥側に開き終わる際に、前記蓋体の上下動による位置エネルギの放出に見合った弾性エネルギを蓄積することにより、前記蓋体を手前側に閉じ終わる際、及び／又は、前記蓋体を奥側に開き終わる際のダンパーとして機能するものであり、前記各引張力発生弾性要素の一端と他端とは、前記蓋体の移動方向に対し斜め又は直交方向に配設され、かつ、前記複数の引張力発生弾性要素は、前記蓋体の移動方向に直交する当該付勢力の成分がほぼ相殺するように、並列に配設されているものである。
【０００８】
従って、蓋体が急激に倒れ込むという挙動を防ぐことができる。
すなわち、蓋体を手前側に閉じ終わる際に、蓋体の重みにより閉じる構造の鍵盤楽器である場合は、蓋体が急激に倒れ込むという挙動を防ぐことができる。又、蓋体を開き終える際に、蓋体の重みにより後方にさらに開く構造の鍵盤楽器である場合も同様の挙動を防ぐことができる。
鍵盤楽器の製造工程において、蓋体が閉じていたり、蓋体が開きすぎていたりすると、蓋体と鍵盤収容部との間に工具を差し込めなかったり、固定部が見えなかったりする構造であっても、仮止めすることが容易となる。
工具を蓋体と鍵盤収容部との間に差し込めるようにしたり、固定部が見えるようにしたりするために、蓋体を移動させる必要がある場合、仮止め後であれば、蓋体を移動させることにより引張力発生弾性要素を容易に伸ばすことができる。また、仮止め後であれば、位置合わせがほぼできているため、ネジ止め等の固定作業が容易になる。
また、鍵盤楽器の製造工程において、引張力発生弾性要素の一端と他端とが、蓋体の移動方向に対し斜め又は直交方向に配設されていることにより、蓋体の移動方向に対し、引張力発生弾性の配設方向がなす角度が90°（垂直）に近づくほど、引張力発生弾性要素の付勢力の蓋体移動方向成分が小さくなるから、バネ取付部材を固定部に取り付ける作業が簡単になる。
一方、蓋体の移動方向に対し、引張力発生弾性要素の配設方向がなす角度が0°に近づくほど、引張力発生弾性要素の付勢力の蓋体移動方向成分が大きくなるから、ダンパー機能を損なわない。
【０００９】
前記複数の引張力発生弾性要素は、前記蓋体の移動方向に直交する当該付勢力の成分がほぼ相殺するように、並列に配設されているものである。これにより、蓋体の左右方向の力が均衡する。従って、蓋体が左右方向に偏倚することなく所望の移動方向に移動するためのガイドのような規制部材が必要とされないし、規制部材との間の摩擦をなくすことができる。
前記複数の引張力発生弾性要素は、前記蓋体の移動方向に対し線対称に配設されているもの、言い換えれば、鏡対象に配置されたペア（対）エレメントである。従って、蓋体の移動方向に直交する付勢力の成分を相殺することが容易に実現される。
【００１０】
前記複数の引張力発生弾性要素は、分離独立した複数本の引張力発生弾性要素であり、前記１又は複数の弾性要素取付部材のうち、少なくとも１つは、前記分離独立した複数本の引張力発生弾性要素の内、少なくとも２本の他端部が取り付けられているものである。従って、分離独立した少なくとも２本の引張力発生弾性要素を使用するものの、これらの他端部が、両者に共通の１個の弾性要素取付部材に取り付けられているから、鍵盤楽器の製造工程において、固定部に弾性要素取付部材を取り付けるという、難しい作業が１回で終わる。その結果、分離独立していない２要素からなる引張力発生弾性要素を、１個の弾性要素取付部材を介して固定部に取り付ける作業と変わらない。
【００１１】
前記固定部の係止部は、例えば、係止孔又は係止突起であり、弾性要素取付部材の被係止部は、上述した係合孔又は係合突起に係合する係合突起又は係合孔である。弾性要素取付部材は、例えば、取付孔を有し、この取付孔を介して固定部にネジ止めされる構成とすればよい。
【発明の効果】
【００１２】
本発明は、蓋体が急激に倒れ込むという、指を挟む危険もある蓋体の挙動を防ぐことができるという効果がある。
また、引張力発生弾性要素を、製造時に取り付けることが安全かつ簡単であるという効果がある。
例えば、仮止め係止構造を設けたので、仮止めしてしまえば、おもむろに、弾性要素取付部材を、固定部に、そのまま、又は、より精密な位置合わせをして固定すればよい。
例えば、引張力発生弾性要素の一端と他端とを、蓋体の移動方向に対し斜め又は直交方向に配設することにより、引張力発生弾性要素の付勢力の蓋体移動方向成分が小さくなる状態で、弾性要素取付部材を固定部に取り付けることができるから、作業が簡単になるという効果がある。
【発明を実施するための最良の形態】
【００１３】
図１は、本願発明の第１の実施形態を説明する第１の断面図である。この断面図は、後述する図５（ａ）において矢示Ａ−Ａで示す鍵盤楽器本体部（鍵盤収容部）１の鍵配列方向中心部における、右側から左側を見た断面図である。
特に、左側の側板における回動支持部２５及びガイド部材２７を示し、本発明と関連しない構造については図示を省略している。
この図では、鍵盤楽器本体部１のみを図示している。この鍵盤楽器本体部１を図示しない支持体（脚部、スピーカボックス、ペダルユニットを備える）に載置固定されることにより、電子鍵盤楽器が組み立てられる。
【００１４】
鍵盤楽器本体部１は、棚板２、口棒３、左右の側板４（左側板が見えている）、上背板５、上前ユニット６により箱状に形成され、この中に、複数の白鍵７、黒鍵８が配列された鍵盤ユニット９が収容されている。鍵盤ユニット９において、複数の白鍵７、黒鍵８は鍵盤部を構成し、図示しない鍵フレームに支持され、鍵盤部の下方に鍵アクション機構がある。鍵盤ユニット９の奥方向上部には操作パネル１０（図２参照）がある。鍵の配列の両端部は拍子木前部１１であり、この拍子木となる部材は、操作パネル１０の左右両側に位置する拍子木後部１２と一体になっている。
棚板２の下面には、入出力端子箱１３、下背板固定ブロック１４が取り付けられている。
【００１５】
複数の白鍵７、黒鍵８が配列された鍵盤部の上面を覆う蓋体が設けられている。図示の蓋体は、前蓋２１と後蓋２２を有し、両者の表面側において、前蓋２１の後端の上辺と後蓋２２の前端の上辺とはヒンジ（蝶番）２３により、鍵の配列方向に平行な線を軸として折りたたみ可能に結合されている。
前蓋２１において、２１ａは前壁、２１ｂは譜面台であって、前蓋２１の裏面に取り付けられている。蓋体を閉じた状態において、前壁２１ａは口棒３の上に垂下し、譜面台２１ｂは折りたたまれる。２４は左右一対のアームであって、前蓋２１の後端における左右両側面（鍵の配列方向両側面）に、各１個配設され、前蓋２１の側面に沿って延設されている。この図では、左側のアーム２４が見えている。
【００１６】
アーム２４は、その取付板２４ａが、前蓋２１の裏面に形成された溝に埋め込まれ、ねじ止めされることにより、前蓋２１に取り付けられている。取付板２４ａは、裏面に沿って図示斜め下方に延設されて取付板延設部２４ｂとなり、その側板４側の辺において、鍵の配列方向に垂直な平面上にある回動板２４ｃと直交結合している。図示の例では、回動板２４ｃは、前蓋２１の左右側面と同一面上にある。この回動板３４ｃの下部に回動支点部２４ｄがある。従って、前蓋２１の左右両端部から、前蓋２１の後端よりも下方にアーム２４が延設され、このアームに回動支点部２４ｄが形成されている。
【００１７】
回動支点部２４ｄは、例えば、軸受孔又は回動軸である。左右のアーム２４の一方の回動支点部２４ｄを軸受孔、他方を回動軸としてもよい。この回動支点部２４ｄは、ヒンジ２３よりも下方に位置する。２５は回動支持部であって、側板４に形成された溝の内部に取り付けられ、回動支点部２４ｄを支持する構造となっている。アーム２４は、側板４と拍子木後部１２の側面との隙間を回動する。側板４には、アーム２４との接触を防ぐための緩衝部材４ａが貼り着けられてもよい。
回動支点部２４ｄが緩衝機構（ワンウェイクラッチ等）を備えた回動支持部２５であってもよい。
【００１８】
一方、後蓋２２の後端近傍の下面には、その左右端部に、金属等で形成されたＬ型部材２６が取り付けられており、このＬ型部材２６には突状体２６ａが、外向きに設けられている。これに対し、側板４の内側面には、ガイド部材２７が取り付けられている。図示のガイド部材２７は、上部分が開口し、鍵の長手方向に長くされた水平のガイド溝２７ａが形成された板材である。上部の開口は、突状体２６ａが挿入された後に、Ｌ型部材２８の底板によりふさがれる。
上述した突状体２６ａがガイド溝２７ａに嵌め込まれていることにより、後蓋２２は、鍵の長手方向に、ほぼ水平に移動するように案内される。
【００１９】
後蓋２２を鍵盤楽器本体部１に取り付ける際は、図２を参照して説明するダンパーユニット２２を取り付けた後、突状体２６ａをガイド溝２７ａに嵌めこみ、Ｌ型部材２８を取り付ける。最後に、上前ユニット６を、側板４の後部背高部にかぶせることにより、楽器本体部１の組立が完了し、図示しない支持体に載置固定される。２９は上前ユニット６と側板４の間の緩衝部材である。
【００２０】
上述した前蓋２１と後蓋２２とで構成される蓋体は、背景技術において引用した非特許文献１，２においても採用されている構造である。
演奏者が前蓋２１を持ち上げると、前蓋２１が回動支点部２４ｄを中心に右回りに回動することにより、鍵盤部（白鍵７、黒鍵８）と操作パネル１０とが露出する。前蓋２１の回動に連動して、後蓋２２は、回動支点部２４ｄとヒンジ２３との間の距離を半径とし、その前端が僅かに右回りに回動しながら、その全体が楽器後方に、ほぼ水平状態を保って直線移動する。その結果、露出される部分が広くなる。
しかし、上述した構造だけでは、ダンパー機構がないため、鍵盤部を完全に閉じる際に、前蓋２１が手前（楽器前方）へ急激に倒れ込む。そこで、この実施形態では、図２に示すように、１又は複数の引張力発生弾性要素としての、ダンパーユニット３２を、後蓋２２の裏面後端部と鍵盤楽器本体部（鍵盤収容部）１における鍵盤部よりも奥側（楽器後方）に位置する固定部との間に配設する。
【００２１】
図２は、本願発明の第１の実施形態を説明する第２の断面図である。図１と同様に、鍵の配列方向中心部における、右側から左側を見た断面である。
特に、鍵の配列方向中央に配置された、固定台３１、ダンパーユニット３２を示し、本発明と関連がない構造については図示を省略している。
図中、図１と同じ部分には同じ符号を付している。３１は固定台、３２はダンパーユニット、３３はスペーサ（当て板）である。固定台３１は、鍵の配列方向の中央部において、棚板２に固定され、スペーサ３３を介して上背板５に固定されている。
【００２２】
ダンパーユニット３２は、図３〜図５を参照して詳述するように、引張コイルバネ（引張力発生弾性要素）４１，４４（左側の引張コイルバネ４１のみが見えている）と、バネ取付部材４２，４５と、バネ取付部材（弾性要素取付部材）４３を備えている。
引張コイルバネ４１，４４は、蓋体の移動方向（前後方向、図５に示したエレメント間中心線６１の方向）に対して、斜め、かつ、水平に、線対称で並列配置され、同一特性である。バネ取付部材４２，４５は、引張コイルバネ４１，４４の一端部（図３の４１ａ，４４ａ）を後蓋２２の後端部の下面（裏面）に取り付けるものである。バネ取付部材４３は、引張コイルバネ４１，４４の他端部（図３の４１ｂ，４４ｂ）を、固定台３１に取り付けるものであって、図示の例では、鍵盤楽器本体部（鍵盤収容部）１における鍵盤部（白鍵７、黒鍵８）から最も奥側に離れた、上背板５の近傍位置に取り付けるものである。
固定台３１の水平部（固定部）３１ａには、バネ取付部材４３の突起部（被係止部）４３ｄ，４３ｅを仮止めするための長孔（係止部）３１ｂと、バネ取付部材４３を固定するためのねじ取付孔３１ｃ，３１ｄが形成されている。
【００２３】
引張コイルバネ４１、４４は、蓋体が鍵盤部の上面を覆露する行程において、蓋体を閉じ終わる際に蓋体の上下動による位置エネルギの放出に見合った弾性エネルギを蓄積し、蓋体を開き始める際に弾性エネルギを放出するように変位することにより、蓋体が閉じ終わる際のダンパーとして機能する。
図３は、図２に示したバネ取付部材４３を固定台３１に仮止めする作業を示す拡大斜視図である。図中、図１，図２と同様な部分には同じ符号を付している。
図４は、図２に示したバネ取付部材４３を固定台３１の水平部３１ａに固定する作業を示す説明図である。図４（ａ）は図２に示した円形部分の部分拡大図である。図４（ｂ）はバネ受け部材の基本構造を示す説明用の断面図である。
【００２４】
図３を参照し、最初に固定台３１について説明する。固定台３１は、板金を折曲加工されたものであるが、樹脂成型品でもよい。その水平部３１ａの後半部に、仮止め用の係止部であって、バネを固定する位置部となる長孔３１ｂが形成され、さらに後端側にネジ取付孔３１ｃ，３１ｄが形成されている。この長孔３１ｂは、左右方向（鍵の配列方向）に長い。
水平部３１ａの手前側（楽器前方）に前脚３１ｅ、その下端に取付部３１ｆが形成されている。水平部３１ａの後端部側（楽器後方）に後脚３１ｇ，３１ｈ、それぞれの下端に取付部３１ｉ，３１ｊが形成されている。さらに、水平部３１ａの後端に取付部３１ｋが形成されている。
【００２５】
次に、ダンパーユニット３２について説明する。ダンパーユニット３２は、左右対称形状であるので、その左側の構造について詳述する。
左側にあるバネ取付部材４２は、水平部４２ａの両端に、垂直部４２ｄ，４２ｅを有し、この垂直な段差を介して取付板４２ｂ，４２ｃが形成されたものである。
水平部４２ａの下面には、図４を参照して後述するバネ受け部材５１が支持される。このバネ受け部材５１に、引張コイルバネ４１の一端部４１ａである丸フックを装着することにより、引張コイルバネ４１は、バネ取付部材４２に対し、水平面上で回動自在に取り付けられる。
。取付板４２ｂ，４２ｃに形成された孔にネジを通し、この取付板４２を後蓋２２の裏面後端部にネジ止め固定する。
【００２６】
一方、バネ取付部材４３は、水平部４３ａの両端に、垂直部４３ｈ，４３ｉを有し、この垂直な段差を介して取付板４３ｂ，４３ｃが形成された左右対称形のものである。
取付板４３ｂ，４３ｃには、バネ受け部材５１が支持されている。このバネ受け部材５１に、引張コイルバネ４１，４４の他端部４１ｂ，４４ｂである丸フックを装着することにより、引張コイルバネ４１，４４は、バネ取付部材４３に対し、水平面上で回動自在に取り付けられる。
水平部４３ａには、その手前側の端部が垂直下方に折り曲げられて形成された２個の突起部４３ｄ，４３ｅと、その奥側に２個のネジ挿入孔４３ｆ，４３ｇ（図５参照）が形成されている。
【００２７】
次に、図４を参照し、バネ受け部材５１の構造と、このバネ受け部材５１をバネ取付部材４３へ取り付ける構造について説明する。なお、図３に示すダンパーユニット３２は、この他にも、３個のバネ受け部材５１を有するが、いずれも同一構造である。
図４（ｂ）に示すように、バネ受け部材５１は、全体として円筒体である。この円筒体の軸方向ほぼ中央が、引張コイルバネ４１の他端部（丸フック）４１ｂを受ける収容部５１ａとなり、この他端部４１ｂの図示下方に接してフランジ部５１ｂが形成されている。フランジ部５１ｂよりも下方は円筒部５１ｃとなっている。
【００２８】
収容部５１ａの上部には、軸方向に長い複数本の割溝５１ｄ（図４（ａ）参照）が、円筒体の径方向に形成されている。収容部５１ａの上部には、これらの隣接する割溝５１ｄの間に爪部５１ｅが形成されている。
この爪部５１ｅの先端には、収容部５１ａ及び円筒部５１ｃの径と比較して径方向に延設された延設部５１ｆを有し、この延設部５１ｆを含む爪部５１ｅの先端面５１ｇは、先細（テーパ）になるとともに、丸められている。
【００２９】
バネ受け部材５１を、バネ取付部材４３に取り付ける前の状態において、その外周面５１ｇに、軸方向から引張コイルバネ４１の一端部（丸フック）４１ａを押し付ける。外周面５１ｇが丸められていること、割溝５１ｄがあることにより、爪部５１ｅの先端は、径の中心方向に収縮し、一端部（丸フック）４１ａは、外周面５１ｇを摺動して収容部５１ａに嵌り込む。その後は、バネ受け部材５１が有する弾性により、外周面５１ｇは再び元の形状に復帰する。
【００３０】
上述したようにして一端部（丸フック）４１ａが装着されたバネ受け部材５１は、円筒状のスペーサ５２の外周面に嵌め込まれる。バネ受け部材５１とスペーサ５２とは、例えば、摩擦係数の小さなプラスチック材料で形成されているから、両者の境界で摩擦なく自在に回動する。このスペーサ５２には、その上部にワッシャ５３を重ね、ビス（取付軸）５４を、これらの中心孔と取付板４３ｂの孔とに挿通し、取付板４３ｂの裏側から、ナット５５で締め付ける。
【００３１】
以上の説明は、バネ受け部材５１の概要構成である。
一方、図３、図４（ａ）に示すバネ受け部材５１においては、フランジ部５１ｂは、バネ受け部材５１の軸中心に対し、約120°角の２個のフランジ５１ｂが対向配置されたものである。このフランジ５１ｂが存在しない周方向の２つの領域（約60°角）において、収容部５１ａの上部に、それぞれ１個の爪部５１ｅが形成されている。割溝５１ｄは、上述したフランジ５１ｂと爪部５１ｅとの境界となる周方向領域に形成されている。
また、フランジ５１ｂが存在する周方向領域の収容部５１ａの一部には、係止部５１ｈ（図４（ａ）参照）が形成され、この係止部５１ｈを間にして一端部４１ａの丸フックの始端と終端とが装着される。
【００３２】
上述した説明では、一端部４１ａをバネ受け部材５１に装着した後に、バネ受け部材５１を取付板４３ｂに取り付けた。これに対し、取付板４３ｂに取り付けた後のバネ受け部材５１に、一端部４１ａを装着することも可能である。
この場合、バネ受け部材５１の外周面５１ｇに、軸方向から引張コイルバネ４１の一端部（丸フック）４１ａを押し付ける。外周面５１ｇが丸められていること、一端部（丸フック）４１ａが弾性変形することにより、一端部（丸フック）４１ａは、径が拡張され、外周面５１ｇを乗り越えて収容部５１ａに嵌り込む。一端部（丸フック）４１ａは、再び元の径に復帰する。
上述した後装着の方法は、取付板４３ｃに取り付けるバネ受け部材５１についても可能である。しかし、水平部４２ａ，４５ａに取り付けられたバネ受け部材５１のように、その爪部５１ｅが水平部４２ａ，４５ａ側になるように配置した場合は、後装着できない。
【００３３】
次に、バネ取付部材４３を固定台３１に仮止めする作業について説明する。
図２に示すように、後蓋２２の鍵配列方向中央の裏面には、ダンパーユニット３２のバネ取付部材４２，４５が、予め取り付けられている。蓋体（前蓋２１，後蓋２２）が、図２に示す全開位置にあるとき、後蓋２２の後端が上背板５に接近しているために、バネ取付部材４３を固定台３１に固定することが簡単ではない。
そこで、前蓋２１を手前側に少し倒し、後蓋２２の後端と上背板５との間に、長孔３１ｂが見え、かつ、手を入れることができる程度の隙間を作る。
この状態で、バネ取付部材４３の突起部４３ｄ，４３ｅを、鍵盤楽器本体部１の後端に位置する長孔３１ｂに引っ掛けて仮止めする。この仮止め作業は、単なる係止でよいため、長孔３１ｂが見えなくても簡単に行える。
【００３４】
被係止部である長孔３１ｂは点対称（回転対称）形状ではない。従って、この被係止部の形状に合致した係止部（一対の突起部４３ｄ，４３ｅ）を、この被係止部（長孔３１ｂ）に挿入した後は、ほぼ正しく位置決めされるとともに、バネ取付部材４３と固定台３１とが相対移動することもない。
従って、仮止め後は、被固定位置（ネジ挿入孔４３ｆ，４３ｇ、バネ取付部材４３の係止位置以外の領域にある）位置と、固定位置（ネジ取付孔３１ｃ，３１ｄ、固定台の水平部３１ａに形成されている）とがほぼ正確に一致し、仮止め後は両者の相対位置がずれない。
これに対し、被係止部が、例えば、１個の丸孔であって、これに、１個のピン（係止部）を挿入して仮止めしても、バネ取付部材４３は、係止部を中心に回動する自由度がある。そのため、被固定部を固定部に位置決めする余計な作業が必要となる。
【００３５】
図３に示した仮止めが完了した後、図４（ａ）に示すように、固定位置において、ネジ５６でバネ取付部材４３を固定台３１に固定する作業をする。図示の例では、図２と同様の、蓋体の全開状態において作業を行う。
後蓋２２の後端と上背板５との隙間において、隙間からネジ５６を挿入し、ドライバでねじ止めすることができ、ダンパーユニット３２を後蓋２２と鍵盤楽器本体部１の固定側との間に配設することができる。
上述した説明では、蓋体の全開状態においてバネ取付部材４３の固定作業を行ったが、仮止め作業と同様に、前蓋２１を手前側に少しだけ倒した状態において、あるいは、安全のために、前蓋２１を手前側に倒しておいて（蓋体の全閉状態）作業をしてもよい。
【００３６】
上述した固定位置が、蓋体が鍵盤部の上面を覆露する行程の一状態において蓋体の後端部よりも奧方向に位置すること、及び、蓋体の裏面近傍となる位置にあることから、バネ取付部材４３を鍵盤収容部に取り付けることが容易になっている。上述した係止位置が、上述した固定位置と同様な位置にあれば、さらによい。
なお、バネ取付部材４３を固定台３１に固定するのは、必ずしも、ネジで螺着することに限らない。例えば、バネ取付部材４３の一部分を水平部３１ａに形成された固定位置に圧入したり、カシメたり、パッチン錠（Catch Lock）のような金具で固定してもよい。
また、係止部と被係止部とが、一旦係合すれば外れない構造であれば、係止位置と固定位置とが一致し、その後の固定作業が不要となる。
【００３７】
図５は、図１〜図４に示した第１の実施形態において、蓋体の全閉時と全開時とにおける、引張コイルバネ４１，４４の伸縮状態を示す平面図である。図５（ａ）は全開時、図５（ｂ）は全閉時の状態を示す平面図である。
図中、図１〜図４と同様な部分には同じ符号を付している。６１はエレメント間中心線である。
この実施の形態のダンパーユニット３２においては、２本の引張りコイルバネ４１，４４の一端部４１ａ，４４ａが、後蓋２２の裏面後端部に、バネ受け部材５１、ばね取付部材４２，４５等を介して配設されている。
【００３８】
蓋体（前蓋２１、後蓋２２）が、鍵盤部の上面を覆露する行程において、図５（ｂ）に示すように鍵盤部を完全に覆う直前又は閉じ終わり時である、蓋体を閉じ終わる際に、引張りコイルバネ４１，４４は、伸びが最大であるため、蓋体の上下動による位置エネルギの放出に見合った弾性エネルギを蓄積するために、蓋体が閉じ終わる際のダンパーとして機能する。また、蓋体を開き始める際に、引張りコイルバネ４１，４４が縮むことにより、蓄積した弾性エネルギを放出する。
【００３９】
図示の具体例では、エレメント間中心線６１に対し、２本の引張コイルバネ４１，４４が線対称に配設されている。しかし、単に、ダンパーとして機能させるだけであれば、上述したダンパーユニット３２には、鍵の長手方向に配設されて伸縮する１本の引張コイルバネを備えるだけでよい。
以下、１本の引張コイルバネ、例えば、引張コイルバネ４１に着目して説明すると、その一端部４１ａの取付位置と、その他端部４１ｂの取付位置とが、後蓋２２の移動方向（鍵の長手方向、エレメント間中心線６１の方向と同じ）に対し、引張コイルバネ４１は、交叉する斜め直線上に配設されている。言い換えれば、蓋体が鍵盤部の上面を覆露する全行程において、上述した配設方向（コイル軸）の鍵の長手方向に対する角度θの値が変化するが、θ＝０°にはならない。
【００４０】
図示の例では、図５（ａ）に示す、全閉状態においてθ1≒25°、図５（ｂ）に示す全開状態においてθ2≒65°である。なお、全開状態においてθ2＝90°となってもよい。
蓋体が鍵の長手方向に移動するとき、上述した引張コイルバネ４１の配設方向の、後蓋２２の移動方向に対する角度θが変化する。
引張コイルバネ４１の一端部４１ａと他端部４１ｂ（正確には両バネ受け部材５１）が再接近している状態のとき、θ＝90°となる。そのθ＝90°に近いほど、蓋体の移動距離の変化量に比べて引張コイルバネ４１の伸びが小さいから、この伸びに比例する引張コイルバネ４１の付勢力も小さい。かつ、付勢力に対する、蓋体の移動方向成分の分力比についても、θが90°に近いほど小さい。その結果、蓋体の移動方向に加わる引張コイルバネ４１の付勢力も小さい。
これに対し、θが0°に近いほど、引張コイルバネ４１の伸びは、移動距離の変化量に近づく。かつ、付勢力に対する、蓋体の移動方向成分の分力比は、θが0°に近づくほど、ほぼ１となる。その結果、蓋体の移動方向に加わる引張コイルバネ４１の付勢力が大きくなる。
【００４１】
図６は、引張コイルバネ４１が、その両端部４１ａ，４１ｂの相対移動方向に対し、斜めに配設された場合の特性を定性的に示すグラフである。
図中、横軸は後蓋２２の移動距離、縦軸は後蓋２２の移動方向における、引張コイルバネ４１の付勢力成分である。
７１は、蓋体の移動方向（鍵の長手方向）に対し斜めに配設された引張コイルばね４１を用いた場合の見かけ上のバネ特性であって、非線形になっている。
すなわち、図５（ａ）に相当する全開状態の近傍においては、図５（ｂ）に相当する全閉状態の近傍においてよりも、見かけ上のバネ定数（傾き）が小さくなっている。
【００４２】
従って、図５（ａ）に示す蓋体の全開状態の近傍では、作業者が、バネ取付部材４３を固定台３１に仮止めする際に、引張コイルバネ４１の付勢力の蓋体移動方向成分が小さくなる。その際、引張コイルバネ４１を弛ませる必要はない。
作業者が引張コイルバネ４１を引っ張っても、付勢力の蓋体移動方向成分が小さいから、蓋体が楽器後方（奥側）に倒れにくい。その結果、蓋体が作業の邪魔になったり、蓋体に指を挟まれたりすることがないから、作業が楽になる。
これに対し、図５（ｂ）に示す蓋体の全閉位置近傍では、引張コイルバネ４１が蓋体の移動方向に配設されていると想定した場合の付勢力に近付くから、斜め又は直交方向に配設しても、引張コイルバネ４１のダンパー作用は損なわれない。
なお、仮止めすることなく、バネ取付部材４３を固定台３１にネジ等により固定する場合にも、固定作業時に同様の作用効果がある。
【００４３】
また、蓋体が鍵盤部の上面を覆露する全行程を眺めると、蓋体の移動距離に比べて、引張コイルバネ４１の伸び量の方が小さい。従って、比較例として、蓋体の移動方向（鍵の長手方向）に配設した引張コイルバネを想定すると、この想定された引張コイルバネのバネ定数に比べて、斜め又は垂直配設された引張コイルバネ４１のバネ定数が大きいことになる。従って、引張コイルバネを斜め又は垂直配設した方が、バネ定数の大きなものを使用できる。
【００４４】
また、上述した引張コイルバネ４１の一端部４１ａの取付位置と、その他端部４１ｂの取付位置とが、蓋体の移動方向に対し斜め又は直交方向に配設されている（コイル軸が傾斜又は直交している）ことにより、引張コイルバネ４１の一端部４１ａの取付位置が、後蓋２２の後端部であっても、所定の長さを必要とする引張コイルバネ４１を配設できる。
これに対し、上述した比較例として想定した引張コイルバネの一端部を、後蓋２２の前端近傍に取り付けると、後蓋２２が手前側に移動したとき、鍵盤楽器本体部１の手前側に存在する、鍵盤ユニット９の上部や、操作パネル１０等と干渉するという問題がある。
これに対し、鍵盤部よりも奥側に位置する電子鍵盤楽器１の後端部近傍においては、鍵の配列方向に、引張コイルバネ４１と干渉する内部構造が存在しないように構成することが簡単にできる。
【００４５】
上述した説明では、一方の引張コイルバネ４１について説明した。ダンパーユニット３２が一方向に斜め又は垂直配置された引張コイルバネ４１（第１のエレメント）しか備えない場合は、蓋体の移動方向に直交する方向（鍵の配列方向）にバネの付勢力成分が作用する。そのため、蓋体が鍵の長手方向に移動しないで、鍵の配列方向に曲がるおそれがある。そのため、移動方向を規制する部材が必要となる。また、図１に示した具体例では、突状体２６ａがガイド溝２７ａの溝面に当接したり、Ｌ型部材２６がガイド部材２７に当接したりする場合は、蓋体の移動が摺動摩擦により滑らかでなくなるおそれがある。
【００４６】
従って、図示の具体例では、ペア（対）となる、引張コイルバネ４１と同一特性の引張コイルバネ４４を、第２のエレメント（要素）として、鍵の配列方向に線対称となるように配設し、両者を、１個のバネ取付部材４３によって結合している。その結果、鍵の配列方向におけるバネの分力が相殺される。
ここで、線対称とは、図５におけるエレメント間中心線６１に対し、線対称に配置されることをいう。
【００４７】
図示の具体例では、分離独立した２本（２エレメント）の引張コイルバネ４１，４４を用いている。これに代えて、１本の線材を用いて形成された、２エレメント（要素）の引張コイルバネを使用してもよい。この場合、１本のバネ材の中点を係止点とすればよい。
この係止点（係止部）を、バネ取付部材４３に１個のバネ受け部材を用いて取り付ける。その結果、バネ受け部材を１個に減らすことができ、また、バネ受け部材への取付工程が１回節約できる。
しかし、図示のような、分離独立した２本の引張コイルバネ４１，４４を用いても、共通のバネ取付部材４３を用いれば、固定台３１に１工程で取り付けることができるから、作業が簡単になる。
なお、分離独立した２本の引張コイルバネ４１，４４の端部を、共通のバネ取付部材４３に取り付ける作業は増えるが、分離独立した引張コイルバネ４１，４４を１本ずつバネ取付部材４３に予め取り付けておけばよいから、この作業は簡単である。
【００４８】
なお、図示のダンパーユニット３２は、線対称に配置された２エレメントの引張コイルバネ４１，４４を使用している。しかし、蓋体の移動方向に直交する方向（鍵の配列方向）における付勢力の成分が相殺、又は、減少するのであれば、線対称でなくてもよく、また、３エレメント以上（偶数の方が好ましい）であったり、形状やバネ特性が異なる複数の引張コイルバネであったりしてもよい。
具体的な配設形態を例示する。図示のダンパーユニット３２は、カタカナの「ハ」字状、アルファベットの「Ｖ」字状ということができる。
また、４エレメント（要素）である場合、アルファベットの「Ｗ」字状ということができる。
【００４９】
図示の例では、鍵盤楽器本体部１の後端部への取り付けに、複数エレメントに共通のバネ取付部材４３を使用していた。しかし、逆に、後蓋２２への取付けに、共通のバネ取付部材４３を使用し、鍵盤楽器本体部１の後端部への取付けには、図４に示した個別のバネ取付部材４２，４５を使用してもよい。
この場合、上述した「ハ」（「Ｖ」）字状、「Ｗ」字状の配置が倒立した配置となる。
【００５０】
図示の例では、１個のバネ取付部材４３により２本のエレメント（引張コイルバネ４１，４４）を結合していたが、必ずしも、複数のエレメントを１個のバネ取付部材で固定部に仮止め及び固定をする必要はない。個々のエレメントが、それぞれに専用のバネ取付部材を用いて、共通の、又は、個別の固定部に仮止め及び固定されてもよい。個々のエレメントの取付位置に応じて、共通のバネ取付部材を用いたり、専用のバネ取付部材を用いたりしてもよい。ダンパーユニット３２は、必ずしも、鍵の配列方向の中心部に集中配置する必要はなく、鍵の配列方向の一端部に集中配置してもよし、複数の位置に分散配置してもよい。
【００５１】
上述した説明では、蓋体を手前側に閉じ終わる際に、蓋体の重みにより閉じる構造の鍵盤楽器である場合であって、ダンパーユニットは、蓋体（前蓋２１、後蓋２２）が鍵盤部の上面を覆露する行程において、蓋体を手前側に閉じ終わって鍵盤部を全閉状態にする際、蓋体の上下動による位置エネルギの放出に見合った弾性エネルギを蓄積することにより、蓋体を手前側に閉じ終わる際のダンパーとして機能し、蓋体を開き始める際に、蓄積された弾性エネルギを放出するように作用するものであった。
【００５２】
一方、図１，図２に示す蓋体の全開状態において、前蓋２１は後方に傾いている。この場合、蓋体を開き終える際に、蓋体の重みにより、蓋体が急激に後方に倒れ込む挙動をするようなもの、特に、後方への傾き角度が大きな鍵盤楽器において、本発明を適用可能である。
この場合においては、ダンパーユニットが、蓋体（前蓋２１、後蓋２２）を奥側に開き終わって、鍵盤面を全開状態にする際に、蓋体の上下動による位置エネルギの放出に見合った弾性エネルギを蓄積することにより、蓋体を後方に開き終わる際のダンパーとして機能し、蓋体を閉じ始める際に、蓄積された弾性エネルギを放出するように作用するようにする。
【００５３】
図７は、本願発明の第２の実施形態を説明する断面図である。図１、図２と同様に、鍵配列方向中心部における、右側から左側を見た断面図である。図７（ａ）は蓋体（前蓋２１、後蓋２２）の全開時を示し、図７（ｂ）は蓋体の全閉時を示している。
図中、図１，図２と同様な部分には同じ符号を付している。
この実施形態においては、鍵盤楽器本体部（鍵盤収容部）１の左右それぞれにおいて、鍵盤部（白鍵７，黒鍵８）の端部と側板４との間に引張コイルバネ８１の移動領域を確保する。（この図では、左側の移動領域にある引張コイルバネが見えている）。この移動領域において引張コイルバネ８１が、他の構成部材との干渉を避けて伸縮する。
この移動領域は、手前側から見ると、左右の拍子木前部８２及び、これと一体の拍子木後部８３の領域になる。
【００５４】
固定台８４は、上述した移動領域における側板４側に設置し、固定台８４の水平部８４ａの前方、図７（ｂ）に示すように、後蓋２２の後端と上背板５との隙間から仮止めやネジ取付ができる位置に、長孔（係止部）８４ｂやネジ取付孔８４ｃが形成されている。
バネ取付部材８５は、例えば、Ｌ型部材であって、その水平板に突起部（被係止部）８５ａとネジ挿入孔８５ｂが形成されている。また、その垂直板にバネ受け部材５１が、軸を鍵の配列方向にして支持される。
【００５５】
８６はアームであって、図１に示したアーム２４と同様な構造で同様な方法で、前蓋２１の左右両端に取り付けられている。しかし、アーム８６は、アーム２４と異なり、回動支点部８６ｄの反対側に延設され、アーム延設部８６ｅがバネ取付部となり、このバネ取付部にバネ受け部材５１が回動自在に支持されている。このバネ取付部は、蓋体を構成する前蓋２１の後端部に設けられていると言える。
【００５６】
引張コイルバネ８１の一端部は、予め、アーム延設部８６ｅに、他端部は、予め、バネ取付部材８５に取り付けておく。
図７（ｂ）に示す蓋体が全閉状態にあるとき、後蓋２２の後端が、上背板５から最も離れる。このとき、バネ取付部材８５の突起部（被係止部）８５ａを、鍵盤楽器本体部１の奥側に後端に位置する水平部（固定部）８４ａにある長孔（係止部）８４ｂに仮止めする。仮止めが完了した後、ネジ８７でバネ取付部材８５を固定台８４に固定する作業をする。
【００５７】
従って、引張コイルバネ８１は、アーム延設部（バネ取付部）８６ｅとバネ取付部材８５との間に張り渡される。アーム延設部（バネ取付部）８６ｅは、バネ取付部材８５よりも、鍵盤側に位置し、バネ取付部８６ｂは側板４側に位置するから、引張コイルバネ８１は、蓋体の移動方向（鍵の長手方向）に対し斜め又は直交方向に配設される。
その結果、図８（ｂ）に示す状態において、バネ取付部材８５を固定台８４に仮止めする際、及び、引き続き固定する際に、蓋体の移動方向（鍵の長手方向）の付勢力成分が小さいために、引張コイルバネ８１の取付作業が楽になる。
なお、一般に電子鍵盤楽器においては、左側の拍子木前部８２に１又は複数の演奏操作子が配置される場合がある。この場合、左側の領域に余裕がある。そのため、左側のみをアーム８１として、上述したダンパー機構を設置し、右側は図１に示したアーム２４としてもよい。
第１の実施形態において図１に示したような、後蓋２２が鍵の長手方向に移動するように案内するガイド部材２７を設置する場合は、引張コイルバネ８１の移動と干渉しないように、突状体２６ａやガイド部材２７を設置する場所を設計する必要がある。
【００５８】
図８は、本願発明の第３の実施形態を説明する平面図である。図８（ａ）は蓋体の全開時、図８（ｂ）は蓋体の中間開時、及び、図８（ｃ）は蓋体の全閉時における、引張コイルバネの伸縮状態を示す平面図である。
この実施形態は、図１〜図６を参照して説明した第１の実施形態の構成を前提としたものである。ダンパーユニット３２の引張コイルバネ（引張力発生弾性要素）は、図８（ｃ）に示す、蓋体（前蓋２１、後蓋２２）を手前側に閉じ終わって鍵盤部を全閉状態にする際、及び、図８（ａ）に示す、蓋体を奥側に開き終わって全開状態にする際のいずれのときも、蓋体の上下動による位置エネルギの放出に見合った弾性エネルギを蓄積することにより、ダンパーとして機能する。
【００５９】
図中、図１，図２，図５と同様な部分には同じ符号を付して説明する。９１は固定台であって、全体形状、及び、上背板５、棚板２上への取付位置は、図２に示した固定台３１と同じである。固定台９１の水平部（固定部）９１ａは、鍵盤部よりも奥側に位置するが、水平部９１ａにおける長孔（係止部）９１ｂ、ネジ取り付け孔９１ｃ，９１ｄの位置（鍵の長手方向位置）が、固定台３１における対応部分よりも、手前側（楽器前方）に移動させている。これに伴い、取付部９１ｉ，９１ｊの位置も移動させている。
引張コイルバネ９２，９３は、図２に示した引張コイルバネ４１，４４に対応するが、その形状、寸法、及び、特性は、必ずしも一致しない。
【００６０】
この実施の形態では、図８（ｂ）に示す、蓋体（前蓋２１、後蓋２２）が中間開き状態にあるときに、引張コイルバネ９２の両端部、引張コイルバネ９３の両端部が、蓋体の移動方向（エレメント間中心線６１の方向）に直交する方向（鍵の配列方向）に並ぶ。
ここでいう蓋体（前蓋２１、後蓋２２）が中間開き状態にあるときとは、前蓋２１が鉛直に立ち上がった状態をいう。従って、蓋体の上下動による位置エネルギが最も大きい状態である。
この状態において、引張コイルバネ９２，９３自体が伸びて付勢力を有していたとしても、引張コイルバネ９２（９３）の両端部を結ぶ線（コイル軸）が蓋体移動方向となす角度θが90°であるから、この付勢力の蓋体移動方向成分は0になる。
【００６１】
一方、図８（ｃ）に示す蓋体の全閉時において、後蓋２２の裏面（蓋体の後端部）に配設されたバネ取付部材４２，４５が、固定台９１に取り付けられたバネ取付部材４３よりも手前側に移動している。従って、θ5は90°未満であるから、引張コイルバネ９２，９３の伸長状態は、図５（ｂ）に示す蓋体の全閉時と同じであって、従って、蓋体を全閉状態にする際に、図１〜図６を参照して説明した第１の実施形態と同様に、引張コイルバネ９２，９３がダンパー機能を奏する。
【００６２】
これに対し、図８（ａ）に示す、蓋体の全開時において、バネ取付部材４２，４５が、固定台９１に取り付けられたバネ取付部材４３よりも楽器後方に移動している。その結果、引張コイルバネ９２，９３は、図８（ｂ）に示す状態を基準にすると、この状態よりも伸長状態にあるとともに、引張コイルバネ９２（９３）の両端部を結ぶ線（コイル軸）が蓋体移動方向となす角度θ3が90°よりも大きい。従って、この付勢力の蓋体移動方向成分は、蓋体を図８（ｂ）の状態に戻すように働く。その結果、蓋体を全開状態にする際にも、ダンパーとして機能する。
【００６３】
この実施の形態においては、図８（ｂ）に示す中間開き状態から、図８（ｃ）に示す全閉状態になるまでの状態において、バネ取付部材４３の突起部（被係止部）４３ｄ，４３ｅを、固定台９１の水平部９１ａにおける長孔（係止部）９１ｂに係止することにより、仮止めする。
仮止め後は、ネジ挿入孔（被固定位置）４３ｆ，４３ｇが上から見え、ネジ５６差し込める状態にして、ネジ５６でバネ取付部材４３を水平部９１ａにおけるネジ取付孔（固定位置）９１ｃ，９１ｄに固定する作業をする。
仮止め、及び、固定する際に、蓋体の移動方向（鍵の長手方向）の付勢力成分が小さいために、引張コイルバネ９２，９３の取付作業が楽になる。
【００６４】
上述した説明では、図８（ｂ）に示す中間開き状態は、前蓋２１が垂直に立ち上がった状態であると説明した。しかし、前蓋２１が垂直に立ち上がった状態に一致しない中間開き状態において、図８（ｂ）に示したような、引張コイルバネ９２，９３の両端部が、蓋体の移動方向に垂直な鍵の配列方向に並ぶようにしてもよい。
また、バネ取付部材４３の取付位置を、図８（ｃ）に示すＰ点のような、さらに楽器前方にずらした位置に取り付けた場合は、蓋体が全閉状態から全開状態に至る全行程において、引張コイルバネ９２（９３）の両端部を結ぶ線が蓋体移動方向となす角度θが、常に90°よりも大きくなる。
従って、図７を参照して説明した第２の実施形態と同様に、蓋体を奥側に開き終わって全開状態にする際においてのみ、引張コイルバネ９２，９３を、ダンパーとして機能するようにすることができる。
【００６５】
図８を参照して説明した第３の実施形態は、図１〜図６を参照して説明した第１の実施形態の構成を前提としたものであるから、上述した第１の実施形態と同様に、種々の変形が可能である。
上述した各実施の形態において、引張力発生弾性要素として、引張コイルバネを用いていたが、引張力を発生するものであればよい。例えば、長尺の金属薄板をジグザグ（平仮名の「く」の字状、図８において引張コイルバネ９２，９３を表記した形状）に折り曲げた形状の蛇腹バネであってもよい。また、金属バネに限らず、合成樹脂、ゴムを材料とする弾性要素でもよい。
なお、上述したいずれの実施形態においても、回動支点部に従来のワンウェイクラッチ機構等のダンパー機構を設けてもよい。
【００６６】
上述した説明では、蓋体が、回動する前蓋２１とこの前蓋２１の後端にその前端がヒンジ結合され、鍵の長手方向に、ほぼ直線移動する後蓋２２を有した構造に適用した。
しかし、異なる構造の蓋体、例えば、前蓋２１に相当するものがなく、後蓋２２に相当し、鍵の長手方向にほぼ直線移動するものの、手前側に閉じ終わる際、及び／又は、奥側に開き終わる際に、上下動することにより位置エネルギを放出するような、蓋体に適用してもよい。あるいは、後蓋２２に相当するものがなく、前蓋２１に相当し、前蓋２１の上面（表側）の後端部近傍にダンパーユニット３２を取り付けてもよい。この場合、ダンパーユニット３２が外から見えないように覆う部材を追加すればよい。
【図面の簡単な説明】
【００６７】
【図１】本願発明の第１の実施形態を説明する第１の断面図である。図５（ａ）において矢示Ａ−Ａで示す鍵配列方向中心部における、右側から左側を見た断面図である。
【図２】本願発明の第１の実施形態を説明する第２の断面図である。図１と同様に、鍵の配列方向中心部における、右側から左側を見た断面である。
【図３】図２に示したバネ取付部材を固定台に仮止めする作業を示す拡大斜視図である。
【図４】図２に示したバネ取付部材を固定台の水平部に固定する作業を示す説明図である。図４（ａ）は図２に示した円形部分の部分拡大図、図４（ｂ）はバネ受け部材の基本構造を示す説明用の断面図である。
【図５】図１〜図４に示した第１の実施形態において、蓋体の全閉時と全開時とにおける、引張コイルバネの伸縮状態を示す平面図である。
【図６】引張コイルバネが、その両端部の相対移動方向に対し、斜めに配設された場合の特性を定性的に示すグラフである。
【図７】本願発明の第２の実施形態を説明する断面図である。図１、図２と同様に、鍵配列方向中心部における、右側から左側を見た断面図である。
【図８】本願発明の第３の実施形態を説明する平面図である。図８（ａ）は蓋体の全開時、図８（ｂ）は蓋体の中間開時、及び、図８（ｃ）は蓋体の全閉時における、引張コイルバネの伸縮状態を示す平面図である。
【符号の説明】
【００６８】
１…鍵盤楽器本体部（鍵盤収容部）、２…棚板、３…口棒、４…側板、４ａ…溝、５…上背板、６…上前ユニット、鍵盤部（７…白鍵、８…黒鍵）、９…鍵盤ユニット、１０…操作パネル、１１…拍子木前部、１２…拍子木後部、１３…入出力端子箱、１４…下背板固定ブロック、
蓋体（２１…前蓋、２２…後蓋）、２１ａ…前壁、２１ｂ…譜面台、２３…ヒンジ、２４…アーム、２４ａ…取付板、２４ｂ…取付板延設部、２４ｃ…回動板、２４ｄ…回動支点部、２５…回動支持部、２６…Ｌ型部材、２６ａ…突状体、２７…ガイド部材、２７ａ…ガイド溝、２８…Ｌ型部材、２９…緩衝部材、
３１…固定台、３１ａ…水平部（固定部）、３１ｂ…長孔（係止部）、３１ｃ，３１ｄ…ネジ取付孔、３１ｅ…前脚、３１ｆ…取付部、３１ｇ，３１ｈ…後脚、３１ｉ，３１ｊ，３１ｋ…取付部、３２…ダンパーユニット（１又は複数の引張力発生弾性要素）、３３…スペーサ、４１，４４…引張コイルバネ（引張力発生弾性要素）、４１ａ，４４ａ…一端部、４１ｂ，４４ｂ…他端部、４２，４５…バネ取付部材、４２ａ，４５ａ…水平部、４２ｂ，４２ｃ…取付板、４２ｄ，４２ｅ，４５ｄ，４５ｅ…垂直部、４３…バネ取付部材（弾性要素取付部材）、４３ａ…水平部、４３ｂ，４３ｃ…取付板、４３ｄ，４３ｅ…突起部（被係止部）、４３ｆ，４３ｇ…ネジ挿入孔、４３ｈ，４３ｉ…垂直部、５１…バネ受け部材、５１ａ…収容部、５１ｂ…フランジ部、５１…ｃ円筒部、５１ｄ…割溝、５１ｅ…爪部、５１ｆ…延設部、５１ｇ…先端面、５１ｈ…係止部、５２…スペーサ、５３…ワッシャ、５４…ビス、５５…ナット、５６…ネジ、
６１…エレメント間中心線、７１…蓋体の移動方向に対し斜めに配設された引張コイルばね４１を用いた場合のバネ特性、
８１…引張コイルバネ、８２…拍子木前部、８３…拍子木後部、８４…固定台、８４ａ…水平部（固定部）、８４ｂ…長孔（係止部）、８４ｃ…ネジ取付孔、８５…バネ取付部材、８５ａ…突起部（被係止部）、８５ｂ…ネジ挿入孔、８６…アーム、８６ａ…取付板、８６ｂ…取付板延設部、８６ｃ…回動板、８６ｄ…回動支点部、８６ｅ…アーム延設部、
９１…固定台、９１ａ…水平部（固定部）、９１ｂ…長孔（係止部）、９１ｃ，９１ｄ…ネジ取り付け孔、９１ｆ，９１ｉ，９１ｊ…取付部、９２，９３…引張コイルバネ
【図１】
0005228544.tif 000002
【図２】
0005228544.tif 000003
【図３】
0005228544.tif 000004
【図４】
0005228544.tif 000005
【図５】
0005228544.tif 000006
【図６】
0005228544.tif 000007
【図７】
0005228544.tif 000008
【図８】
0005228544.tif 000009